【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
可変長ゴルフクラブであって、
ヘッドとグリップの一方に結合する第１端部と、第２端部と、を有している第１シャフトと、
中空部分を含む第１端部と、前記ヘッドと前記グリップの他方に結合する第２端部と、を有している第２シャフトと、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーと、ここで、前記カラーは前記第１シャフトと前記第２シャフトが摩擦でロックされる第１状態と、前記第１シャフトと前記第２シャフトが相対移動可能な第２状態と、を有しており、前記カラーは、前記第１側部から前記カラーの前記第１側部と前記カラーの前記第２側部の間のギャップまで伸びている穴を有しており、前記穴は、ボルトを受け入れるように構成されており、前記ボルトは、前記ボルト部が前記穴に侵入したときに、前記カラーの前記第２側部に係合して前記カラーを前記第１状態から前記第２状態に展開するように構成されており、
前記第１シャフトの前記第２端部に連結するように構成されている第１部分と、前記第２シャフトの前記第１端部の前記中空部分に挿入されて前記第２シャフトと連結するように構成されている第２部分と、を有する連結装置と、を備えており、
前記第２部分の外径は、前記第１部分の外径よりも大きい可変長ゴルフクラブ。
【請求項２】
可変長ゴルフクラブであって、
ヘッドとグリップの一方に結合する第１端部と、第２端部と、を有している第１シャフトと、
中空部分を含む第１端部と、前記ヘッドと前記グリップの他方に結合する第２端部と、を有している第２シャフトと、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーと、ここで、前記カラーは前記第１シャフトと前記第２シャフトが摩擦でロックされる第１状態と、前記第１シャフトと前記第２シャフトが相対移動可能な第２状態と、を有しており、
前記第１シャフトの前記第２端部に連結するように構成されている第１部分と、前記第２シャフトの前記第１端部の前記中空部分に挿入されて前記第２シャフトと連結するように構成されている第２部分と、を有する連結装置と、を備えており、
前記第２部分の外径は、前記第１部分の外径よりも大きく、
前記カラーは、前記第１側部から前記カラーの前記第１側部と前記カラーの前記第２側部の間のギャップまで伸びている穴を有しており、
前記穴は、第１穴部とその第１穴部の直径よりも大きい直径を有する第２穴部を含み、これにより、前記第１穴部と前記第２穴部の間の前記穴に環状出っ張り部を規定しており、
前記穴は、前記第１穴部に受け入れられるように構成されている第１ボルト部と、前記第２穴部に受け入れられるように構成されている第２ボルト部と、を有するボルトを受け入れるように構成されており、
前記第２ボルト部は、前記第１ボルト部の直径よりも大きい直径を有しており、これにより、前記第１ボルト部と前記第２ボルト部の間の前記ボルトに環状ショルダ部を規定しており、
前記第１ボルト部は、前記第１ボルト部が前記第１穴部に侵入したときに、前記カラーの前記第２側部に係合して前記カラーを前記第１状態から前記第２状態に展開するように構成されており、
前記ボルトの前記環状ショルダ部が前記穴の前記環状出っ張り部に係合し、前記ボルトが前記穴内にさらに侵入することが停止され、
前記第１シャフトと前記第２シャフトは前記カラーの前記第１状態において摩擦でロックされ、前記第１シャフトと前記第２シャフトは前記カラーの前記第２状態において相対移動可能である可変長ゴルフクラブ。
【請求項３】
前記第２部分の前記外径は、前記第２シャフトの前記第１端部の前記中空部分の内径以上である請求項１又は２に記載の可変長ゴルフクラブ。
【請求項４】
前記第１部分は、前記第１シャフトの前記第２端部の中空部分に挿入されるように構成されており、
前記第１部分の外径は、前記第１シャフトの前記第２端部の前記中空部分の内径以下である請求項１〜３のいずれか一項に記載の可変長ゴルフクラブ。
【請求項５】
前記第１部分の外表面は、少なくとも１つの溝を有する請求項１〜４のいずれか一項に記載の可変長ゴルフクラブ。
【請求項６】
前記第１部分は、前記第１シャフトの前記第２端部に接着剤を用いて取り付けられている請求項１〜５のいずれか一項に記載の可変長ゴルフクラブ。
【請求項７】
前記第２部分は、前記第２シャフトの前記第１端部の前記中空部分内に締まり嵌めによって係合されている請求項１〜６のいずれか一項に記載の可変長ゴルフクラブ。
【請求項８】
前記第２部分の少なくとも一部は、前記第２シャフトの前記第１端部の前記中空部分に挿入されて前記第２シャフトの前記第１端部の前記中空部分内に摩擦によって係合されるときに圧縮されるように構成されている請求項１〜７のいずれか一項に記載の可変長ゴルフクラブ。
【請求項９】
前記第１部分と前記第２部分は概ね同軸であり、これにより、前記第２シャフトに対して前記第１シャフトが概ね同軸に維持される請求項１〜８のいずれか一項に記載の可変長ゴルフクラブ。
【請求項１０】
前記第２部分は、前記第２部分の圧縮を提供するように構成されているスリットを有する請求項１〜９のいずれか一項に記載の可変長ゴルフクラブ。
【請求項１１】
前記第２部分の外表面は、少なくとも１つの突起を有しており、
前記第２シャフトは、前記第２シャフトの前記第１端部の前記中空部分の内面に凹部を有しており、
前記突起が前記凹部に係合するように構成されている請求項１〜１０のいずれか一項に記載の可変長ゴルフクラブ。
【請求項１２】
可変長ゴルフクラブの製造方法であって、
ヘッドとグリップの一方に結合する第１端部と、第２端部と、を有している第１シャフトを形成する工程と、
中空部分を含む第１端部と、前記ヘッドと前記グリップの他方に結合する第２端部と、を有している第２シャフトを形成する工程と、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーを形成する工程と、ここで、前記カラーは前記第１シャフトと前記第２シャフトが摩擦でロックされる第１状態と、前記第１シャフトと前記第２シャフトが相対移動可能な第２状態と、を有しており、前記カラーは、前記第１側部から前記カラーの前記第１側部と前記カラーの前記第２側部の間のギャップまで伸びている穴を有しており、前記穴は、ボルトを受け入れるように構成されており、前記ボルトは、前記ボルト部が前記穴に侵入したときに、前記カラーの前記第２側部に係合して前記カラーを前記第１状態から前記第２状態に展開するように構成されており、
前記第１シャフトの前記第２端部に連結するように構成されている第１部分を形成することと、前記第２シャフトの前記第１端部の前記中空部分に挿入されて前記第２シャフトと連結するように構成されている第２部分を形成することと、を有する連結装置を形成する工程と、を備えており、
前記第２部分の外径は、前記第１部分の外径よりも大きい製造方法。
【請求項１３】
前記第２部分を形成する工程は、前記第２部分の外径が前記第２シャフトの前記第１端部の前記中空部分の内径以上となるように形成することを有する請求項１２に記載の製造方法。
【請求項１４】
前記第１部分を形成する工程は、前記第１シャフトの前記第２端部の中空部分に挿入されるように構成されている前記第１部分を形成することと、前記第１部分の外径が前記第１シャフトの前記第２端部の前記中空部分の内径以下となるように形成することと、を有する請求項１２又は１３に記載の製造方法。
【請求項１５】
前記第１部分の外表面に少なくとも１つの溝を形成する工程をさらに備える請求項１２〜１４のいずれか一項に記載の製造方法。
【請求項１６】
前記第１部分を前記第１シャフトの前記第２端部に接着剤を用いて取り付ける工程をさらに備える請求項１２〜１５のいずれか一項に記載の製造方法。
【請求項１７】
前記第２部分を前記第２シャフトの前記第１端部の前記中空部分内に締まり嵌めによって係合させる工程をさらに備える請求項１２〜１６のいずれか一項に記載の製造方法。
【請求項１８】
前記第２部分を形成する工程は、前記第２部分の少なくとも一部が前記第２シャフトの前記第１端部の前記中空部分に挿入されて前記第２シャフトの前記第１端部の前記中空部分内に摩擦によって係合されるときに圧縮可能に構成されるように、前記第２部分を形成することを有する請求項１２〜１７のいずれか一項に記載の製造方法。
【請求項１９】
前記第１部分を形成する工程と前記第２部分を形成する工程は、前記第１部分と前記第２部分は概ね同軸であり、これにより、前記第２シャフトに対して前記第１シャフトが概ね同軸に維持されるように、前記第１部分と前記第２部分を形成することを有する請求項１２〜１８のいずれか一項に記載の製造方法。
【請求項２０】
前記第２部分を形成する工程は、前記第２部分にスリットを形成することを有しており、
前記スリットは、前記第２部分の圧縮を提供するように構成されている請求項１２〜１９のいずれか一項に記載の製造方法。
【請求項２１】
前記第２部分を形成する工程は、前記第２部分の外表面に少なくとも１つの突起を形成することを有しており、
前記第２シャフトは、前記第２シャフトの前記第１端部の前記中空部分の内面に凹部を有しており、
前記突起が前記凹部に係合するように構成されている請求項１２〜２０のいずれか一項に記載の製造方法。
【手続補正２】
【補正対象書類名】明細書
【補正対象項目名】００７７
【補正方法】変更
【補正の内容】
【００７７】
本発明が様々な態様に関連して説明されたが、本発明がさらなる修正が可能であるのは当然のことである。本願は、概して本発明の原理に従い、本発明が関係する当技術分野における公知かつ通例の手法の範囲内に入るような本開示からの逸脱を含む本発明の任意の変形形態、使用法、および改造を包含することを意図されている。
以下の項目は、出願時の特許請求の範囲に記載の要素である。
（項目１）
可変長ゴルフクラブ用の連結装置であって、
第１シャフトに連結するように構成されている第１部分と、
前記第１部分に連結されるとともに、第２シャフトに連結されるように構成されている第２部分と、を備えており、
前記第１シャフトは、ヘッドとグリップの一方に結合する第１端部と、第２端部と、を有しており、
前記第１部分は、前記第１シャフトの前記第２端部に連結するように構成されており、
前記第２シャフトは、中空部分を含む第１端部と、前記ヘッドと前記グリップの他方に結合する第２端部と、を有しており、
前記第２シャフトの前記第１端部の前記中空部分は、前記第１シャフトの前記第２端部を移動可能に受け入れるように構成されており、
前記第２部分は、前記第２シャフトの前記第１端部の前記中空部分内に挿入されるように構成されており、
前記第２部分の外径は、前記第１部分の外径よりも大きい連結装置。
（項目２）
前記第２部分の前記外径は、前記第２シャフトの前記第１端部の前記中空部分の内径以上である項目１に記載の連結装置。
（項目３）
前記第１部分は、前記第１シャフトの前記第２端部の中空部分に挿入されるように構成されており、
前記第１部分の外径は、前記第１シャフトの前記第２端部の前記中空部分の内径以下である項目１又は２に記載の連結装置。
（項目４）
前記第１部分の外表面は、少なくとも１つの溝を有する項目１〜３のいずれか一項に記載の連結装置。
（項目５）
前記第１部分は、前記第１シャフトの前記第２端部に接着剤を用いて取り付けられている項目１〜４のいずれか一項に記載の連結装置。
（項目６）
前記第２部分は、前記第２シャフトの前記第１端部の前記中空部分内に締まり嵌めによって係合されている項目１〜５のいずれか一項に記載の連結装置。
（項目７）
前記第２部分の少なくとも一部は、前記第２シャフトの前記第１端部の前記中空部分に挿入されて前記第２シャフトの前記第１端部の前記中空部分内に摩擦によって係合されるときに圧縮されるように構成されている項目１〜６のいずれか一項に記載の連結装置。
（項目８）
前記第１部分と前記第２部分は概ね同軸であり、これにより、前記第２シャフトに対して前記第１シャフトが概ね同軸に維持される項目１〜７のいずれか一項に記載の連結装置。
（項目９）
前記第２部分は、前記第２部分の圧縮を提供するように構成されているスリットを有する項目１〜８のいずれか一項に記載の連結装置。
（項目１０）
前記第２部分の外表面は、少なくとも１つの突起を有しており、
前記第２シャフトは、前記第２シャフトの前記第１端部の前記中空部分の内面に凹部を有しており、
前記突起が前記凹部に係合するように構成されている項目１〜９のいずれか一項に記載の連結装置。
（項目１１）
可変長ゴルフクラブであって、
ヘッドとグリップの一方に結合する第１端部と、第２端部と、を有している第１シャフトと、
中空部分を含む第１端部と、前記ヘッドと前記グリップの他方に結合する第２端部と、を有している第２シャフトと、ここで、前記第２シャフトの前記第１端部の前記中空部分は前記第１シャフトの前記第２端部を移動可能に受け入れるように構成されており、
前記第２シャフトの前記中空部分上に配置されており、第１側部と第２側部を有しているカラーと、ここで、前記カラーは前記第１シャフトと前記第２シャフトが摩擦でロックされる第１状態と、前記第１シャフトと前記第２シャフトが相対移動可能な第２状態と、を有しており、
前記第１シャフトの前記第２端部に連結するように構成されている第１部分と、前記第２シャフトの前記第１端部の前記中空部分に挿入されて前記第２シャフトと連結するように構成されている第２部分と、を有する連結装置と、を備えており、
前記第２部分の外径は、前記第１部分の外径よりも大きい可変長ゴルフクラブ。
（項目１２）
前記カラーは、前記第１側部から前記カラーの前記第１側部と前記カラーの前記第２側部の間のギャップまで伸びている穴を有しており、
前記穴は、ボルトを受け入れるように構成されており、
前記ボルトは、前記ボルト部が前記穴に侵入したときに、前記カラーの前記第２側部に係合して前記カラーを前記第１状態から前記第２状態に展開するように構成されている項目１１に記載の可変長ゴルフクラブ。
（項目１３）
前記カラーは、前記第１側部から前記カラーの前記第１側部と前記カラーの前記第２側部の間のギャップまで伸びている穴を有しており、
前記穴は、第１穴部とその第１穴部の直径よりも大きい直径を有する第２穴部を含み、これにより、前記第１穴部と前記第２穴部の間の前記穴に環状出っ張り部を規定しており、
前記穴は、前記第１穴部に受け入れられるように構成されている第１ボルト部と、前記第２穴部に受け入れられるように構成されている第２ボルト部と、を有するボルトを受け入れるように構成されており、
前記第２ボルト部は、前記第１ボルト部の直径よりも大きい直径を有しており、これにより、前記第１ボルト部と前記第２ボルト部の間の前記ボルトに環状ショルダ部を規定しており、
前記第１ボルト部は、前記第１ボルト部が前記第１穴部に侵入したときに、前記カラーの前記第２側部に係合して前記カラーを前記第１状態から前記第２状態に展開するように構成されており、
前記ボルトの前記環状ショルダ部が前記穴の前記環状出っ張り部に係合し、前記ボルトが前記穴内にさらに侵入することが停止され、
前記第１シャフトと前記第２シャフトは前記カラーの前記第１状態において摩擦でロックされ、前記第１シャフトと前記第２シャフトは前記カラーの前記第２状態において相対移動可能である項目１１に記載の可変長ゴルフクラブ。
（項目１４）
前記第２部分の前記外径は、前記第２シャフトの前記第１端部の前記中空部分の内径以上である項目１１〜１３のいずれか一項に記載の可変長ゴルフクラブ。
（項目１５）
前記第１部分は、前記第１シャフトの前記第２端部の中空部分に挿入されるように構成されており、
前記第１部分の外径は、前記第１シャフトの前記第２端部の前記中空部分の内径以下である項目１１〜１４のいずれか一項に記載の可変長ゴルフクラブ。
（項目１６）
前記第１部分の外表面は、少なくとも１つの溝を有する項目１１〜１５のいずれか一項に記載の可変長ゴルフクラブ。
（項目１７）
前記第１部分は、前記第１シャフトの前記第２端部に接着剤を用いて取り付けられている項目１１〜１６のいずれか一項に記載の可変長ゴルフクラブ。
（項目１８）
前記第２部分は、前記第２シャフトの前記第１端部の前記中空部分内に締まり嵌めによって係合されている項目１１〜１７のいずれか一項に記載の可変長ゴルフクラブ。
（項目１９）
前記第２部分の少なくとも一部は、前記第２シャフトの前記第１端部の前記中空部分に挿入されて前記第２シャフトの前記第１端部の前記中空部分内に摩擦によって係合されるときに圧縮されるように構成されている項目１１〜１８のいずれか一項に記載の可変長ゴルフクラブ。
（項目２０）
前記第１部分と前記第２部分は概ね同軸であり、これにより、前記第２シャフトに対して前記第１シャフトが概ね同軸に維持される項目１１〜１９のいずれか一項に記載の可変長ゴルフクラブ。
（項目２１）
前記第２部分は、前記第２部分の圧縮を提供するように構成されているスリットを有する項目１１〜２０のいずれか一項に記載の可変長ゴルフクラブ。
（項目２２）
前記第２部分の外表面は、少なくとも１つの突起を有しており、
前記第２シャフトは、前記第２シャフトの前記第１端部の前記中空部分の内面に凹部を有しており、
前記突起が前記凹部に係合するように構成されている項目１１〜２１のいずれか一項に記載の可変長ゴルフクラブ。
（項目２３）
可変長ゴルフクラブ用の連結装置の製造方法であって、
第１シャフトに連結するように構成されている第１部分を形成する工程と、
前記第１部分に連結されるとともに、第２シャフトに連結されるように構成されている第２部分を形成する工程と、を備えており、
前記第１シャフトは、ヘッドとグリップの一方に結合する第１端部と、第２端部と、を有しており、
前記第１部分は、前記第１シャフトの前記第２端部に連結するように構成されており、
前記第２シャフトは、中空部分を含む第１端部と、前記ヘッドと前記グリップの他方に結合する第２端部と、を有しており、
前記第２シャフトの前記第１端部の前記中空部分は、前記第１シャフトの前記第２端部を移動可能に受け入れるように構成されており、
前記第２部分は、前記第２シャフトの前記第１端部の前記中空部分内に挿入されるように構成されており、
前記第２部分の外径は、前記第１部分の外径よりも大きい製造方法。
（項目２４）
前記第２部分を形成する工程は、前記第２部分の外径が前記第２シャフトの前記第１端部の前記中空部分の内径以上となるように形成することを有する項目２３に記載の製造方法。
（項目２５）
前記第１部分を形成する工程は、前記第１シャフトの前記第２端部の中空部分に挿入されるように構成されている前記第１部分を形成することと、前記第１部分の外径が前記第１シャフトの前記第２端部の前記中空部分の内径以下となるように形成することと、を有する項目２３又は２４に記載の製造方法。
（項目２６）
前記第１部分の外表面に少なくとも１つの溝を形成する工程をさらに備える項目２３〜２５のいずれか一項に記載の製造方法。
（項目２７）
前記第２部分を形成する工程は、前記第２部分の少なくとも一部が前記第２シャフトの前記第１端部の前記中空部分に挿入されて前記第２シャフトの前記第１端部の前記中空部分内に摩擦によって係合されるときに圧縮可能に構成されるように、前記第２部分を形成することを有する項目２３〜２５のいずれか一項に記載の製造方法。
（項目２８）
前記第１部分を形成する工程と前記第２部分を形成する工程は、前記第１部分と前記第２部分は概ね同軸であり、これにより、前記第２シャフトに対して前記第１シャフトが概ね同軸に維持されるように、前記第１部分と前記第２部分を形成することを有する項目２３〜２７のいずれか一項に記載の製造方法。
（項目２９）
前記第２部分を形成する工程は、前記第２部分にスリットを形成することを有しており、
前記スリットは、前記第２部分の圧縮を提供するように構成されている項目２３〜２８のいずれか一項に記載の製造方法。
（項目３０）
前記第２部分を形成する工程は、前記第２部分の外表面に少なくとも１つの突起を形成することを有しており、
前記第２シャフトは、前記第２シャフトの前記第１端部の前記中空部分の内面に凹部を有しており、
前記突起が前記凹部に係合するように構成されている項目２３〜２９のいずれか一項に記載の製造方法。